(57)【要約】      （修正有）【課題】煙草の代用品として使用する香りを楽しむ簡易パイプで、数時間使用した後に使い捨てができる香水タバコを提供する。【解決手段】本体１をストローのような薄い肉厚の筒にして、綿や紙に香水やアロマオイルなどを浸透させたを香り成分１１を先端から装填し、蓋６を閉じる。香りは本体側面に設けた通気孔４から外部に放出される。フィルター部２と本体１の内部は、間に隔壁３を設けて遮断し、本体に装填した香り成分１１を直接口中に吸い込まないようにして、口にできない香水やアロマオイルなどの多様な香料が使用できるように構成されている。また、フィルター部２に、メントールやシナモンなどを含む清涼剤を粘着させて爽快感を強化させる。【選択図】図４
0003189490.tif 000002
【実用新案登録請求の範囲】
【請求項１】
香水タバコ本体１の側面に、通気孔４を一個または複数個設けることを特徴とする香水タバコ。
【請求項２】
香水タバコフィルター部２の側面に、吸気孔５を一個または複数個設けることを特徴とする香水タバコ。
【請求項３】
香水タバコ本体１の側面に設ける通気孔４に、蓋９を取り付けることを特徴とする香水タバコ。
【請求項４】
香水タバコフィルター部２の吸気孔１０に、蓋７を設けることを特徴とする香水タバコ。
【請求項５】
香水タバコ本体１の空洞１５とフィルター部２の吸気孔１０の間に、隔壁３を設けることを特徴とする香水タバコ。
【請求項６】
香水タバコフィルター部２の蓋７の周囲に、清涼剤１２を粘着させることを特徴とする香水タバコ。
【請求項７】
本考案の香水タバコ数本を箱１３に納め、その箱に香りミニ容器１４を添付して販売する組み合わせを特徴とする香水タバコ。
【考案の詳細な説明】
【技術分野】
【０００１】  本考案は、節煙や禁煙を目的に、煙草の代用品として使用する簡易パイプで、香りを楽しむ香水タバコに関するものである。
【背景技術】
【０００２】  従来の煙草の代用として使用する簡易パイプは、パイプ本体内部に挿入した香り成分を口中に吸入するようになっている。【０００３】  しかしながらこのパイプは、香水やアロマセラピー作用があるアロマオイルなどの、口中に吸入できない香り成分は使用できない。
したがって、普通の香りを吸入しても精神的安定を得ることは少なく、同じパイプ本体を使用し続けるという難点もあり、購買意欲が減退するという欠点があった。
【先行技術文献】
【特許文献】
【０００４】
【特許文献１】登録実用新案第３０７６８４１号、実用新案第３１７３４４８号
【非特許文献】
【０００５】
【非特許文献１】発売元：マルマンバイオ、品名：禁煙パイポ、インターネット検索
【考案の概要】
【考案が解決しようとする課題】
【０００６】  本考案は、以上のような従来の欠点に鑑み、香り成分に有効な作用があるアロマオイルを使用できるようにして、芳香による精神的安定を促がす簡易パイプである。
さらに本考案の簡易パイプは、清涼剤とハーブエキスを用いて購買意欲を増加させるようにした、香水タバコを提供することを目的としている。
【課題を解決するための手段】
【０００７】  上記目的を達成するために、本考案は、図４のように香り成分１１を本体内部に充填しているが、図５のようにフィルター部２の吸気孔１０とは隔壁３で遮断されていることが最大の特徴である。このように、吸気孔５から外部の吸気をするようにして、香りを嗅ぐだけで有効作用がある多種類のアロマオイルや香水を使用できるようにした。【０００８】  さらに、フィルター部２に図５のように清涼剤１２を粘着させ、溶けて無くなったら蓋７を除き、図５の吸気孔１０を開けて吸気孔５から吸気できるようにした。
また、香水タバコの直径を４ミリから５ミリに小さくして噛みやすくし、香水タバコ本体１はストローのように肉厚を薄く軽く作製して口中にくわえやすくしている。【０００９】  またさらに、図６の清涼剤１２は、ノンカロリー甘味料を使用し、ハーブ成分を含むカルミンや喉飴を粘着させる。煙を吸入する代わりに清涼剤１２で口中を強く刺激し、煙草のような煙が無くても満足できるようにした。【００１０】  香水タバコ本体１とフィルター部２は、無害のバイオプラスチックなどを筒状に成型したものを用い、全体を自然腐敗する安全安価な材質で作製して、１〜３時間使用するだけで廃棄できるようにした。【００１１】  香水タバコを使用する時点で、図３のように通気孔４の蓋９を取り除いて使用する。吸気孔１０に設ける球形の蓋７は、清涼剤１２が吸気孔１０に侵入して孔を塞がないようにしている。清涼剤１２が溶けて無くなった時点で蓋７をねじってもぎ取り、吸気孔１０を開けて吸気孔５から外部の吸気をする。【００１２】  なお、図１及び図２のように、香水タバコ本体１の蓋６も連結部８も通気孔４の蓋９も吸気孔１０の蓋７も、３Ｄプリンターにより全体を一体に作製できるようになり、安価に生産できるようになった。
本考案は以上のようにして香水タバコを構成している。
【考案の効果】
【００１３】  以上の説明から明らかなように、本考案にあっては次に列挙する効果が得られる。
（１）請求項１のように、香水タバコ本体１の側面に設けた図４の通気孔４から香り成分１１の香りを放出して鼻で嗅ぐように構成されているので、口にできない多種類のアロマオイルや香水が使用できる。
香りが弱くなった時には、本体１の側面を親指と人差し指で軽く圧し、通気孔４から香りを強く放出することができる。
したがって、集中力や記憶力を高めるなど多様なアロマオイルの作用が期待できる。【００１４】（２）請求項２のように、香水タバコのフィルター部２の側面に、図４のように吸気孔５を設け、図５の清涼剤１２が溶けて無くなった後、蓋７をもぎ取って気孔１０を開け吸気孔５から外部の空気を吸うことができる。【００１５】（３）請求項３のように、通気孔４を香水タバコ本体１の側面に設け、孔を鼻に近い位置に設けていることが特徴であり、少量の香り成分で長時間楽しむことができるという長所が生まれる。
通気孔４の蓋９は使用前に取り外くが、それまで香り成分１１の放散を防ぐ重要な蓋であって、香水タバコ本体１の側面に設けることが特徴である。【００１６】（４）請求項４のように、図６のフィルター部２に多様な味の清涼剤１２を粘着させて変化を演出し、口中に強い清涼感を与えることで煙草にはない爽快感が購買力を高める。【００１７】（５）請求項５のように、図４の香水タバコ本体１の空洞１５と、フィルター部２の吸気孔１０の間に隔壁３を設け、香り成分を直接口中に吸入できないようにしているので、多種類の香水やアロマオイルが使用できて（１）と同様の効果が得られる。【００１８】（６）請求項６のように、本考案の香水タバコ本体１を、図６のように箱１３に液体香りミニ容器１４を添付して収納し、図３あるいは図５のタバコ本体１の側面か図４の通気孔４に、香りミニ容器１４から滴下して使用しても（１）と同様の効果が得られる。
【図面の簡単な説明】
【００１９】
【図１】本考案の香水タバコの、付属部品を一体に成形した説明上面図である。
【図２】本考案の香水タバコの、付属部品を一体に成形した説明正面図である。
【図３】本考案の香水タバコの、蓋６を閉じて通気孔４の蓋９と吸気孔１０の蓋７を取り除いた、本考案を実施するための最良の第一の形態の正面図である。
【図４】本考案の香水タバコの図３正面図を、水平に切断して説明するためのＡＢ線断面図である。
【図５】本考案の香水タバコの、図１及び図２のフィルター部２に清涼剤１２を粘着させた本考案を実施するための第二の形態の正面図である。
【図６】本考案の香水タバコ複数本を箱１３に納め、香りミニ容器１４を添付した説明図である。
【考案を実施するための形態】
【００２０】  以下、本考案の実施の形態を図に基づいて説明する。
【実施例１】
【００２１】  図３は、本考案の実施例１の正面図であって、図４に示すように香水タバコ本体１の空洞１５に、綿や紙に浸透させた香り成分１１を内蔵しているが、図１及び図２の通気孔４の蓋９を図３のように取り除き、図４の通気孔４を開けて使用する。
図１及び図２に示すフィルター部２の球状の蓋７は、力を入れて捻じると取り除くことができるように造っているが、そのまま使用しても通気孔３から放出される香りを十分楽しむことができる。
【実施例２】
【００２２】  図５は、本考案の実施例２の正面図であって、図１及び図２の蓋７を包むように清涼剤１２を粘着させている。清涼剤１２はノンカロリー甘味料を使用し、メントールなどのハーブを含む喉飴、カルミンなどを粘着させ多様な味を提供することがきる。
喉飴が溶けて消失したら、球状の蓋７をもぎ取って吸気孔１０を開くと、吸気孔５と繋がり外部の吸気ができるようにしている。
なお、フィルター部２の表面周囲に、複数個のごく小さい突起を設けておけば、唾液によるフィルター部２のベトつき感を緩和する。
【産業上の利用可能性】
【００２３】  本考案の、香水タバコ全体の材質は、禁煙パイポのような無害のプラスチックを用い、３Ｄプリンターで容易に成形できるようになった。
香りミニ容器１４も３Ｄプリンターで容易に成形できる。
したがって、３Ｄプリンター業やプラスチック産業で利用される。【００２４】  本考案の、香水タバコは、香りを楽しむことが目的であって、香水やアロマオイル製造販売業に利用される。【００２５】  本考案の香水タバコに使用する清涼剤１２は、製菓として錠剤にしたものがすでに販売され、細いプラスチック棒の先に粘着させた飴も販売されているように、製菓産業で利用される。
【符号の説明】
【００２６】  １  香水タバコ本体
２  フィルター部
３  隔壁
４  通気孔
５  吸気孔
６  本体の蓋
７  フィルター部の蓋
８  連結部
９  通気孔４の蓋
１０  フィルター部の吸気孔
１１  香り成分
１２  清涼剤
１３  箱
１４  香りミニ容器
１５  空洞
【図１】
0003189490.tif 000003
【図２】
0003189490.tif 000004
【図３】
0003189490.tif 000005
【図４】
0003189490.tif 000006
【図５】
0003189490.tif 000007
【図６】
0003189490.tif 000008
【手続補正書】
【提出日】平成25年8月30日(2013.8.30)
【手続補正１】
【補正対象書類名】実用新案登録請求の範囲
【補正対象項目名】全文
【補正方法】変更
【補正の内容】
【実用新案登録請求の範囲】
【請求項１】
香水タバコ本体（１）の側面に、通気孔（４）を一個または複数個設けた構造を特徴とする香水タバコ。
【請求項２】
香水タバコのフィルター部（２）の側面に、吸気孔（５）を一個または複数個設けて吸気孔（１０）の通路につながる構造を特徴とする請求項１記載の香水タバコ。
【請求項３】
香水タバコの本体（１）の側面に設けた通気孔（４）に、蓋（９）を取り付けた構造を特徴とする香水タバコ。
【請求項４】
香水タバコのフィルター部（２）の吸気孔（１０）に、請求項６に記載している清涼剤（１２）が侵入しないように、蓋（７）を設けた構造を特徴とする請求項１記載の香水タバコ。
【請求項５】
香水タバコ本体（１）の内部に設けた、香り成分（１１）を収納する空洞（１５）とフィルター部（２）の間に隔壁（３）を設け、香り成分（１１）が吸気孔（１０）の通路に入らない構造を特徴とする請求項１記載の香水タバコ。
【請求項６】
香水タバコのフィルター部（２）に設けた、請求項４記載の蓋（７）の周囲に、清涼剤（１２）を固着させることを特徴とする請求項１記載の香水タバコ。
【請求項７】
請求項６に記載した特徴を有する、本考案の香水タバコ複数本を箱（１３）に納め、香りミニ容器（１４）を添付して販売する、組み合わせを特徴とする請求項１記載の香水タバコ。
【手続補正２】
【補正対象書類名】明細書
【補正対象項目名】００２２
【補正方法】変更
【補正の内容】
【００２２】  図５は、本考案の実施例２の正面図であって、図１及び図２に示すフィルター部２に清涼剤１２を粘着させる。球状の蓋７は、清涼剤１２を固着させるとともに吸気孔１０への侵入を防ぐ。清涼剤１２はノンカロリー甘味料を使用し、メントールを含む喉飴やカルミン（登録商標）を用い多様な味を提供できる。
清涼剤１２が溶けて消失したら、球状の蓋７をねじってもぎ取ると吸気孔１０が開き、側面の吸気孔５につながり外部の吸気をして使用を続けることができる。
なお、本考案の香水タバコは、使用を始めて数時間後、フィルター部２を噛み不快感が生じた時に、小形パック飲料に添付されているストローのように、容易に使い捨て廃棄できるようにしたことが特徴である。
【手続補正書】
【提出日】平成25年12月13日(2013.12.13)
【手続補正１】
【補正対象書類名】実用新案登録請求の範囲
【補正対象項目名】全文
【補正方法】変更
【補正の内容】
【実用新案登録請求の範囲】
【請求項１】
香水タバコ本体（１）の側面に、通気孔（４）を一個または複数個設けた構造を特徴とする香水タバコ。
【請求項２】
香水タバコのフィルター部（２）の側面に、吸気孔（５）を一個または複数個設けて吸気孔（１０）の通路につながる構造を特徴とする請求項１記載の香水タバコ。
【請求項３】
香水タバコの本体（１）の側面に設けた通気孔（４）に、蓋（９）を取り付けた構造を特徴とする香水タバコ。
【請求項４】
香水タバコのフィルター部（２）に、清涼剤（１２）を取り付ける際に、吸気孔（１０）の通路に清涼剤（１２）が侵入し通路を塞がないように、蓋（７）を設けた構造を特徴とする請求項１記載の香水タバコ。
【請求項５】
香水タバコ本体（１）の内部に設けた、香り成分（１１）を収納する空洞（１５）とフィルター部（２）の間に隔壁（３）を設け、香り成分（１１）が吸気孔（１０）の通路に入らない構造を特徴とする請求項１記載の香水タバコ。
【請求項６】
香水タバコのフィルター部（２）に設けた、吸気孔（１０）の蓋（７）の周囲に、清涼剤（１２）を固着させることを特徴とする請求項１記載の香水タバコ。
【請求項７】
香水タバコのフィルター部（２）に設けた、吸気孔（１０）の蓋（７）の周囲に、清涼剤（１２）を固着させた本考案の香水タバコ複数本を、箱（１３）に納め香りミニ容器（１４）を添付して販売する、組み合わせを特徴とする請求項１記載の香水タバコ。